【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
ウェットワイプ製品を作製するのに適した繊維からなる自己支持性を有する不織布集合体（１１、１２０、１５０）から、ウェットワイプ製品（２２）を製造する方法であって、前記繊維の集合体が、熱可塑性合成繊維（８）および吸収性または吸着性繊維（９）を含んでいる方法であって、
前記集合体の本体（３０）に畝および溝の形態を付与するために、乾式状態で、ドライクレープ機（１４９）に前記不織布集合体（１１、１２０、１５０）を通過させることによって、前記繊維の不織布集合体（１１、１２０、１５０）にドライクレープを施す工程と、
この工程と同時に、前記畝および溝の熱可塑性繊維（８）を熱硬化するのに必要な温度を上回る温度まで、前記集合体を加熱する工程と、
前記集合体の前記畝および溝の形態を保つように冷却した後、ウェットワイプ用薬剤を受容するのに適したワイプ部材（２２）に合うように前記形態を有する前記集合体をサイジングする工程と、
を有することを特徴とする方法。
【請求項２】
前記不織布集合体は、水流交絡された繊維からなることを特徴とする請求項１に記載の方法。
【請求項３】
前記サイジングする工程後に、ウェットワイプ用薬剤（１６）を前記ワイプ部材（２２）に添加する工程を更に有し、それにより前記ウェットワイプ用薬剤は、前記本体（３０）を介して施されると共に、前記ドライクレープを施されたシート状ワイプ部材およびその構成成分繊維（８、９）の表面上に施される請求項１または２に記載の方法。
【請求項４】
前記ウェットワイプ用薬剤（１６）を前記ワイプ部材（２２）に予め添加し、その後に、ウェットワイプ用薬剤を含む前記ワイプ部材を不透液性の容器（１８）内に密封する請求項３に記載の方法。
【請求項５】
駆動ロール（１５２）と、前記繊維の集合体を十分に前進させるために前記繊維の集合体（１１、１２０、１５０）を前記駆動ロール（１５２）に押し付ける押圧面（１５４、１５５）と、を含む翼付ドライクレープ機を用いて前記ドライクレープを施す工程を実行すると共に、
リターダ翼（１５６）の表面を用いて前記集合体の水平面方向への前進を阻止し、前記集合体が空洞（ＢおよびＣ、図１２）を通過するように、リターダ翼（１５６）の先端が前記駆動ロールに隣接して保持され、前記ドライクレープ機の少なくとも一面が前記熱可塑性繊維の熱硬化温度まで前記熱可塑性繊維の構成成分を温めるために加熱される請求項１ないし４のいずれか一項に記載の方法。
【請求項６】
前記繊維（８，９）の集合体は、ほぼバインダーを含まない請求項１ないし５のいずれか一項に記載の方法。
【請求項７】
前記熱可塑性繊維（８）は、ＰＥＴ（ポリエステル）を含み、
前記ドライクレープ機（１４９）の前記表面は、約２５０〜３５０Ｆ（１３９Ｃ〜１９４Ｃ）の温度まで加熱される請求項１ないし６のいずれか一項に記載の方法。
【請求項８】
前記吸収性または吸着性繊維（９）が、前記ドライクレープ中に前記ウェブ（１１、１２０、１５０）の厚み方向にほぼ非圧縮の条件下で、前記ドライクレープおよび同時の熱硬化が実施される請求項１ないし７のいずれか一項に記載の方法。
【請求項９】
前記ウェブ（１１、１５０）を少なくとも４％、好ましくは約４〜２５％の範囲内で短くし、前記シート部材の嵩の厚さを増すように、前記ドライクレープと同時に前記熱硬化が行われる請求項１ないし８のいずれか一項に記載の方法。
【請求項１０】
前記シート部材（２２）の複数が、面と面を接触した状態で積層（２１）されて配置される請求項１ないし９のいずれか一項に記載の方法。
【請求項１１】
前記シート部材の積層は、不透液性容器（１８）中に湿潤した状態で梱包されており、
前記梱包を完了する前に、石鹸、洗剤、溶媒、洗浄剤、ウインドウ洗浄剤、殺菌剤、殺生剤、研磨剤、摩擦剤、中和剤、防虫剤、塗料溶媒、塗料の除去剤、仕上げ除去剤、油性溶媒、グリース溶媒、化粧除去剤、メーキャップ除去剤、染み除去剤、染料、塗料、ワニス、ワックス、または艶出し剤を含む液体を前記シート部材（２２）に添加する工程を有する請求項１０に記載の方法。
【請求項１２】
請求項１ないし９のいずれか一項に記載の方法によって製造されることを特徴とする不織布のウェットワイプ製品。
【請求項１３】
不織ウェットワイプ部材の積層か、或いは不織ウェットワイプ部材の積層を入れる容器に含まれる請求項１２に記載の不織布のウェットワイプ製品。
【請求項１４】
前記ウェットワイプ部材は、ウェットワイプ用薬剤（１６）で予め濡らされ、不透液性の容器（１８）内に配置される請求項１３に記載の不織布のウェットワイプ製品。
【請求項１５】
前記ウェブは粗くドライクレープを施され、それにより、前記シート状部材の畝構造（２４）の分布はかなり顕著である請求項１２，１３または１４に記載のウェットワイプ製品（２２）。
【請求項１６】
前記ウェブの線インチ当り約８〜２５の熱硬化された畝（２４）（線センチ当り約３．１〜９．８の畝）が存在する請求項１５に記載のウェットワイプ製品。
【請求項１７】
前記シート部材は、前記吸収性または吸着性繊維（９）の重量で約１／３〜２／３と、前記熱可塑性合成繊維（８）の重量で約１／３〜２／３と、からなる請求項１２ないし１６のいずれか一項に記載のウェットワイプ製品（２２）。
【請求項１８】
前記熱可塑性繊維（８）は、ＰＥＴ（ポリエステル）を含む請求項１２ないし１７のいずれか一項に記載のウェットワイプ製品（２２）。
【請求項１９】
前記吸収性または吸着性繊維（９）は、セルロース系である請求項１２ないし１８のいずれか一項に記載のウェットワイプ製品（２２）。
【請求項２０】
請求項１ないし１０のいずれか一項に従い製造されるウェットワイプ製品（２２）であって、ウェットワイプ用薬剤（１６）で予め濡らされたシート部材を含み、不透液性の容器（１８）内に配置された不織布のウェットワイプ製品（２２）であって、
ａ．  熱可塑性合成強化繊維（８）と、吸収性または吸着性繊維（９）とを含む水流交絡された繊維（８、９）の集合体からなる自己支持性を有する不織布ウェブ（１１、１２０、１５０）のセグメントと、
ｂ．  当該ウェブの全本体（３０）内に畝（２４）および溝（２６）の連続した形態を定め、耐久性を有するドライクレープを施され熱硬化状態にある前記不織布ウェブ（１４）であって、前記シート部材の構成成分である熱可塑性繊維（８）は前記ウェブに前記畝および溝を付与する間に同時に熱硬化され、ドライクレープを施された熱可塑性繊維の熱硬化状態は、前記ウェットワイプ用薬剤（１６）が前記ウェブに長期存在する間、前記畝および溝の形態を維持する不織布ウェブ（１４）と、
ｃ．  前記本体（３０）を介して施されると共に、前記ドライクレープを施された熱硬化シート状部材およびその構成成分繊維（８、９）の表面上に施される前記ウェットワイプ用薬剤（１６）と、
を含む不織布のウェットワイプ製品（２２）。
【請求項２１】
前記シートは粗くドライクレープを施され、それにより、前記シートに畝構造（２４）は粗く分布される請求項２０に記載のウェットワイプ製品（２２）。
【請求項２２】
前記ウェブの線インチ当り約８〜２５の熱硬化された畝（２４）（線センチ当り約３．１〜９．８の畝）、前記ウェブの線インチ当り約８〜１５の熱硬化された畝（２４）（線センチ当り約３．１〜５．９の畝）、前記ウェブの線インチ当り約１５〜２０の熱硬化された畝（２４）（線センチ当り約５．９〜７．９の畝）、または前記ウェブの線インチ当り約２０〜２５の熱硬化された畝（２４）（線センチ当り約７．９〜９．８の畝）が存在する請求項２０または２１に記載のウェットワイプ製品。
【請求項２３】
前記シート部材は、吸収性または吸着性繊維（９）の重量で約１／３〜２／３と、熱可塑性合成強化繊維（８）の重量で約１／３〜２／３と、からなる請求項２０ないし２２のいずれか一項に記載のウェットワイプ製品（２２）。
【請求項２４】
前記熱可塑性繊維（８）は、ＰＥＴ（ポリエステル）またはポリプロピレンを含む請求項２０ないし２３のいずれか一項に記載のウェットワイプ製品（２２）。